(57)【要約】【課題】作業性を悪化させることなく平紐を強固に取り付けることができる平紐保持装置を提供する。【解決手段】平紐保持装置は、複数の爪２２が形成された爪形成部１３と、爪形成部の端に連続する折り曲げ部１４と、折り曲げ部における爪形成部とは反対側の端に連続する押圧部１５と、を有する。爪は、爪形成部、折り曲げ部および押圧部の並び方向に直交する方向に突出する錐状体である。押圧部は、爪が突出する方向に開口する複数の爪収容孔４６を有する。平紐保持装置は、折り曲げ部から爪と爪収容孔とが対向するように二つ折りしたときに、爪収容孔が爪の先端部分を収容可能に形成されている。【選択図】図５
0003192077.tif 000002
【実用新案登録請求の範囲】
【請求項１】
平紐の端を保持して前記平紐に連結される平紐保持装置であって、
複数の爪が形成された爪形成部と、
前記爪形成部の端に連続する折り曲げ部と、
前記折り曲げ部における前記爪形成部とは反対側の端に連続する押圧部と、を有し、
前記爪は、
前記爪形成部、前記折り曲げ部および前記押圧部の並び方向に直交する方向に突出する錐状体であり、
前記押圧部は、
前記爪が突出する方向に開口する複数の爪収容孔を有し、
前記折り曲げ部から前記爪と前記爪収容孔とが対向するように二つ折りしたときに、前記爪収容孔が前記爪の先端部分を収容可能に形成された
ことを特徴とする平紐保持装置。
【請求項２】
前記爪は、
その形状が複数の側面を有する錐状体であり、
前記側面のうちの１つが、前記並び方向に直交してかつ前記折り曲げ部側を向く垂直面である
請求項１に記載の平紐保持装置。
【請求項３】
前記爪は、４つの側面を有し、
前記爪をその突出方向から見たとき、
前記垂直面と前記錐状体の底面とにより形成される外端縁、および前記垂直面から離れた前記側面と前記錐状体の底面とにより形成される内端縁が、曲率の異なるいずれも円弧であり、
複数の前記爪は、
曲率の小さな前記外端縁を外側にして互いに間隔を有して円上に配された
請求項２に記載の平紐保持装置。
【請求項４】
前記爪をその突出方向から見たとき、
円弧である前記外端縁および前記内端縁は同心円の一部であり、
前記爪は９０度間隔に４つ設けられており、
前記爪の一つの前記垂直面が前記並び方向に直交してかつ前記折り曲げ部とは反対側を向く
請求項３に記載の平紐保持装置。
【請求項５】
前記爪は、
形状が角錐であってその側面のうちの１つが前記並び方向に直交してかつ前記折り曲げ部側を向く
請求項１に記載の平紐保持装置。
【考案の詳細な説明】
【技術分野】
【０００１】
本考案は、社員証、ＩＤカード等を保持するネックストラップにおけるストラップ（平紐）の端を保持するための平紐保持装置に関する。
【背景技術】
【０００２】
平紐（ストラップ）は、いわゆるネックストラップとして社員証、ＩＤカード等の保持に使用され、また、ハンドストラップとして携帯電話、カメラ等に使用される。ネックストラップおよびハンドストラップは、一般に、平紐の両端が何らかの連結具に取り付けられて、全体としてループ状に形成されている。
従来、平紐の端の連結具への取り付け（保持）は、連結具の内面から平紐の表面両側に向けてそれぞれ突出する突起により平紐の端部を挟むことにより行われることが多い（特許文献１）。
【０００３】
平紐の端部の表面両側を突起により挟む保持方法では、強固に平紐と連結具を一体化するためには、突起の数を多くする必要がある。しかし、連結具に挟まれる平紐の面積は大きくなく、設けることができる突起の数には制限があって、この要求の実現は容易ではない。そこで、強固に平紐と連結具とを一体化する意図で、連結具に「折り返しバー」を設けて平紐の端部を折り返しバーにより折り重ね、重ねた部分を連結具内面に対向して突出する突出片で挟む技術が提案されている（特許文献２）。
【先行技術文献】
【特許文献】
【０００４】
【特許文献１】特開２００４−５７４２５号公報
【特許文献２】特開２００４−４２９２１号公報
【考案の概要】
【考案が解決しようとする課題】
【０００５】
特許文献２に提案された技術は、折り返しバーを設けたことにより、少ない突出片の数で平紐と連結具との強固な連結を期待することができる。
しかし、特許文献２に提案された技術は、平紐を折り返しバーで折り返し、平紐の端部を二重にした後に二重部分を連結具で挟むので、その保持手順が煩雑であって作業性に問題を有する。
【０００６】
本考案は、上述の問題に鑑みてなされたもので、作業性を悪化させることなく平紐を強固に取り付けることができる平紐保持装置を提供することを目的とする。
【課題を解決するための手段】
【０００７】
本考案に係る平紐の端を保持して平紐に連結される平紐保持装置である。
平紐保持装置は、複数の爪が形成された爪形成部と、爪形成部の端に連続する折り曲げ部と、折り曲げ部における爪形成部とは反対側の端に連続する押圧部と、を有する。
爪は、爪形成部、折り曲げ部および押圧部の並び方向に直交する方向に突出する錐状体である。
【０００８】
押圧部は、爪が突出する方向に開口する複数の爪収容孔を有する。
平紐保持装置は、折り曲げ部から爪と爪収容孔とが対向するように二つ折りしたときに、爪収容孔が爪の先端部分を収容可能に形成されている。
好ましくは、爪は、その形状が複数の側面を有する錐状体であり、側面のうちの１つが、前記並び方向に直交してかつ折り曲げ部側を向く垂直面である。
【０００９】
さらに好ましくは、爪は、４つの側面を有し、爪をその突出方向から見たとき、垂直面と錐状体の底面とにより形成される外端縁、および垂直面から離れた側面と錐状体の底面とにより形成される内端縁が、曲率の異なるいずれも円弧である。また、複数の爪は、曲率の小さな外端縁を外側にして互いに間隔を有して円上に配される。
また、好ましくは、爪をその突出方向から見たとき、円弧である外端縁および内端縁は同心円の一部であり、爪は９０度間隔に４つ設けられており、爪の一つの垂直面が前記並び方向に直交してかつ折り曲げ部とは反対側を向く。
【００１０】
爪はその形状が角錐であってもよく、その場合、その側面のうちの１つが前記並び方向に直交してかつ折り曲げ部側を向く。
【考案の効果】
【００１１】
本考案によると、作業性を悪化させることなく平紐を強固に取り付けることができる平紐保持装置を提供することができる。
【図面の簡単な説明】
【００１２】
【図１】図１は連結具における雄部材の平面図である。
【図２】図２は図１におけるＡ−Ａ矢視断面図である。
【図３】図３は図１におけるＢ−Ｂ矢視断面図である。
【図４】図４は図１におけるＣ−Ｃ矢視断面図である。
【図５】図５は平紐が固定された平紐保持装置の図１におけるＡ−Ａ矢視に相当する断面図である。
【図６】図６は同状態の図１におけるＢ−Ｂ矢視に相当する断面図である。
【図７】図７は他の雄部材の平面図である。
【図８】図８は図７におけるＤ−Ｄ矢視断面図である。
【図９】図９は他の雄部材の平面図である。
【図１０】図１０は図９におけるＥ−Ｅ矢視断面図である。
【考案を実施するための形態】
【００１３】
図１は連結具における雄部材１の平面図、図２は図１におけるＡ−Ａ矢視断面図、図３は図１におけるＢ−Ｂ矢視断面図、図４は図１におけるＣ−Ｃ矢視断面図である。
図１に示される雄部材１は、平紐の保持装置を除き実用新案登録第３１５５２４７号公報に記載された「雄部材２」と同じ構造および機能を有する。すなわち、実用新案登録第３１５５２４７号公報に記載された「雌部材３」に連結可能であって、平紐とともに例えばネックストラップを形成する。
【００１４】
雄部材１は、凸部２および平紐保持装置３からなる。
凸部２は、凸体１１および支持部１２で構成される。
凸体１１は、その形状が楕円の回転体であり、楕円の長径方向が、平紐保持装置３に保持される平紐の幅方向に一致する。支持部１２は、凸体１１と平紐保持装置３とを連結する。支持部１２は、凸体１１の短径よりも明確に薄い板状であって、凸体１１の長軸方向に拡がる。凸体１１は、連結具として雄部材１と対になる雌部材の係合部（例えば実用新案登録第３１５５２４７号公報に記載の係合部２１）に嵌め入れられて雌部材と一体化される。以下、凸体１１の長軸（長径）方向を「幅方向」という場合がある。
【００１５】
平紐保持装置３は、爪形成部１３、折り曲げ部１４および押圧部１５からなる。
爪形成部１３は、大きくは、板状で略矩形の底部１６、および底部の３辺から底部１６に直交して突出する、平面視（図１）において略「コ」字状の側壁１７に分けられる。
底部１６は、支持部１２に平行に拡がる。底部１６には、爪部１８および一対の鍵部１９，１９が形成されている。
【００１６】
爪部１８は、底部１６から環状に突出し突出端が平面である台部２１、および台部２１から突出する４つの爪２２，２２，２２，２２を有する。爪部１８は、矩形である底部１６の略中央に配される。台部２１の内方には、底部１６の表面をその底とする、断面が円形の第一孔２３が形成されている。
４つの爪２２，２２，２２，２２は、環状の台部２１の上に、９０度間隔で配される。爪２２は、底部１６の拡がる方向に平行な断面の形状が、いずれの部分を採っても扇形である。台部２１の端面に連続する断面の扇形における、外側円弧の曲率および内側円弧の曲率は、それぞれ台部２１の外周の曲率および内周の曲率と同じである。外側円弧および内側円弧は、同心円の一部といえる。
【００１７】
爪２２は、対向する２つの湾曲する側面および対向する２つの平らな側面を有する「錐状体」の一種である。外方の側面２４（「外側面２４」という）は、台部２１の外周の延長である。
外側面２４に対向する内方の側面２５（「内側面２５」という）は、台部２１の突出端
面２６に対して６０度外方に傾斜し突出側で外側面２４に接近する。内側面２５の外方への傾斜角度αは、環状である台部２１の中心を通り底部１６に垂直な断面において底部１６に対して略６０度である。内側面２５の外方への傾斜角度αは、４５度以上７０度以下に設計される。外側面２４および内側面２５は、いずれも外方に凸の湾曲面である。
【００１８】
なお、外側面２４は、爪２２をその突出方向から見たとき、錐状体の底面と外側面２４とにより形成される端縁と同一であり、円弧である。錐状体の底面と内側面２５とにより形成される端縁も、爪２２をその突出方向から見たとき、円弧である。
他の２つの側面２７，２７は、いずれも平面であり、台部２１の突出端面２６と側面２７との交線２８の延長は、台部の環状の中心を通る。２つの側面２７，２７の突出端面２６との交線２８，２８の延長が交わる角度βは、略５０度である。交線２８，２８の延長が交わる角度βは、４０度以上７０度以下に設計される。
【００１９】
底部１６は、他に、凸部２とは反対側の端で台部２１と同じ高さに突出し幅方向（凸体１１の長軸方向）に延びた帯状の第一挟持帯４２を備える。
一対の鍵部１９，１９は、爪部１８を挟んで幅方向に並べられている。鍵部１９と爪部１８との間には、鍵部１９，１９の並び方向の直交方向に長い矩形の断面を有する貫通孔２９が設けられている。
【００２０】
鍵部１９は、基部３１および係止部３２で構成されている。基部３１は、貫通孔２９の外方端から少し内方に傾きながら底部１６から突出する。図２を参照して、基部３１は、側面視が矩形板状である。係止部３２は、基部３１の突出端において、内方（貫通孔２９側）に拡がる。係止部３２は、底部１６に対向する係止面３３を有する。鍵部１９は、側面視（図２）において、その形状が突出側を上底とする台形である。
【００２１】
側壁１７は、凸部２の反対側を除く矩形の底部１６の３辺に設けられている。側壁１７は、平面視において厳密には凸部２に対向する部分３４が内方に凸となるように湾曲し、他の対向する２つの部分３５，３５が外方に凸となるように湾曲する。側壁１７は、凸部２とは反対側に、底部１６を超えてさらに突出する。凸部２に対向する部分３４と他の対向する２つの部分３５，３５との境界の内方に、底を有し断面円形の位置決め孔３６，３６が設けられている。
【００２２】
折り曲げ部１４は、平面視（図１）において矩形であり、矩形の一辺が底部１６に連続する。折り曲げ部１４には、表裏を貫通し断面形状が矩形の肉抜き孔４１が設けられている。折り曲げ部１４の厚さは、人手で容易に折り曲げ可能な程度に薄い。
押圧部１５は、底部１６（爪形成部１３）とは反対側で折り曲げ部１４に連続する。押圧部１５は、平面視においてその外形が、全体として爪形成部１３における側壁１７に囲まれた底部１６の外形と面対称である。つまり、押圧部１５は、折り曲げ部１４とは反対側の端面４３が、平面視において内方に凸となるように湾曲している。幅方向の両端面の一部は、鍵部１９の通過を妨げないように、平面視において矩形の切り欠きとなっている（この切り欠きについては後述する）。
【００２３】
押圧部１５における幅方向両側の端面４３の内方には、鍵部１９と同方向に突出する円柱状の位置決め突起４４，４４が突出する。位置決め突起４４は、その外径が位置決め孔３６の内径に略等しく、その高さが位置決め孔３６の深さより低い。また、位置決め突起４４，４４の距離は、位置決め孔３６，３６の距離に等しい。
押圧部１５は、位置決め突起４４，４４が位置決め孔３６，３６に重なるように折り曲げ部１４で折り曲げたときに爪部１８に重なる位置に、環状に突出する爪収容部４５を有する。
【００２４】
爪収容部４５は、平面視において台部２１の外径と略同じ外径および台部２１の内径よりも小さな内径を有し、突出端面５０は全体として平面である。爪収容部４５は、その外円の円弧を内側面の一つ（「外側の内側面」）５１とし、平面視において開口の形状が扇形の爪収容孔４６を、９０度間隔に４つ備える。
爪収容孔４６は、後述する第二孔５３の中心をその中心とする扇の開き角度ηを維持したまま、深くなるにつれて（環状の円における）径方向の寸法が小さくなっている。爪収容孔４６は、外側の内側面５１の曲率中心を含む断面（図２，４）の形状が楔形であり、
最深部の楔の開き角度γは、略６０度である。最深部の楔の開き角度γは、爪２２の内側面２５の外方への傾斜角度α以上であって、４５度以上７０度以下に設計される。
【００２５】
爪収容孔４６における扇の開き角度ηは、爪２２の２つの側面２７，２７が形成する角度βよりも大きい。
押圧部１５には、環状に突出する爪収容部４５に囲まれた、有底であって断面が円形の孔である第二孔５３が形成されている。
爪収容部４５の外側には、爪収容部４５よりも高く突出する環状の押圧環４７が設けられる。押圧環４７の突出端は平面である。押圧部１５における折り曲げ部１４に連続する部分には、押圧環４７と同じ高さに突出し幅方向に延びた帯状の第二挟持帯４８を備える。
【００２６】
爪収容部４５における幅方向両側の端面に設けられた矩形の「切り欠き」には、係合部４９が備えられる。係合部４９は、図４を参照して、切り欠きの奥（平面視矩形における深部の辺）から幅方向外方に突出する。幅方向外方に突出する係合部４９は、厚さ方向において爪収容部４５の開口側に偏っている（図４では、厚さ方向について上側に偏る位置である）。幅方向に突出する係合部４９は、爪収容部４５の開口とは反対側を向く係合面５２を有する。ここで「厚さ方向」とは、爪形成部１３、折り曲げ部１４および押圧部１５の並び方向、ならびに幅方向のいずれにも直交する方向（図４における上下方向）をいう。「爪形成部１３、折り曲げ部１４および押圧部１５の並び方向」を「長手方向」といことがある。
【００２７】
係合部４９は、長手方向に長く、その長さは、同方向における（鍵部１９の）係止部３２の長さよりも長い。
雄部材１は、ポリカーボネート樹脂により製造される。雄部材１は、適度な弾性を有する他の材料で形成することができる。
平紐保持装置３による平紐４の保持は、以下のように行われる。
【００２８】
図５は平紐４が固定された平紐保持装置３の図１におけるＡ−Ａ矢視に相当する断面図、図６は同状態の図１におけるＢ−Ｂ矢視に相当する断面図である。
初めに、平紐４の端が、肉抜き孔４１を通過させ、爪形成部１３における位置決め孔３６，３６近くに置かれる。平紐４は、爪部１８に向けて押しつけられる。この押しつけ作業は省略してもよい。平紐保持装置３（雄部材１）は、爪２２を内側にして折り曲げ部１４から二つ折りされる。二つ折りは、２つの位置決め突起４４，４４が２つの位置決め孔３６，３６のそれぞれ異なる一方に嵌り込むようになされる。
【００２９】
押圧部１５は、その２つの係合部４９がそれぞれ爪形成部１３の鍵部１９に重ねられ、鍵部１９が係止部３２を通過するまで爪形成部１３に押しつけられる。鍵部１９は、係止部３２通過時に幅方向外方に開き、通過後にその係合面５２が係止部３２の係止面３３に当たる。このことにより、平紐保持装置３（雄部材１）は、平紐４を挟んだ状態で二つ折りが安定に維持される。なお、爪形成部１３の各爪２２は、この状態で、押圧部１５のそれぞれ異なる爪収容孔４６に重なる。
【００３０】
上述したように、平紐保持装置３への平紐４の固定作業は、肉抜き孔４１を通過させた平紐４の端部分を爪部１８に載せ、平紐保持装置３を二つ折りにして押圧部１５を爪形成部１３に押しつけて終了する。この作業では、平紐４を複雑に変形させる必要がないため、容易に平紐保持装置３への平紐４の固定を行うことができる。
平紐保持装置３による平紐４の一体化は、それぞれの爪２２の先が平紐４の糸の間を貫いて爪収容孔４６に入り込むことにより、または爪２２が平紐４を爪収容孔４６に押し入れることにより行われる。爪２２は、平紐４の糸の間を貫く場合にはその多くの部分が、平紐４を爪収容孔４６に押し入れる場合にはその先端部分が爪収容孔４６に入り込む。その結果、平紐４が引っ張られても爪２２の変形（引っ張り方向への傾斜）が爪収容孔４６により妨げられ押しつけが維持され、平紐４を強固に保持することができる。
【００３１】
また、平紐保持装置３は、折り曲げ部１４で二つ折りしたとき、台部２１の突出端面２６と爪収容部４５の突出端面５０との距離が平紐４の厚さよりも僅かに小さく設計され、押圧環４７が突出端面５０より高く突出する。そのため、一体化された平紐４は、突出端
面５０により爪形成部１３側に膨らんでから突出端面２６および突出端面５０に挟まれ、長手方向への移動が妨げられる。
【００３２】
さらに、平紐保持装置３は、係合部４９の係合面５２が係止部３２の係止面３３に当接する状態で、いずれも内方に突出する帯状の第一挟持帯４２および帯状の第二挟持帯４８が重なるように形成されており、かつこの間が平紐４の厚さよりも若干小さく設計される。したがって、平紐保持装置３は、第一挟持帯４２および第二挟持帯４８が平紐４を挟み込むことによっても、平紐４を強固に連結することができる。
【００３３】
図７は他の雄部材１Ｂの平面図、図８は図７におけるＤ−Ｄ矢視断面図である。
雄部材１Ｂにおける平紐保持装置３Ｂは、爪部１８Ｂ、爪収容部４５Ｂおよび押圧環４７Ｂの形状を除き、雄部材１におけるものと同一の構成である。図７および図８において、雄部材１におけるものと同一の構成を有する部分については雄部材１と同一の符号を付し、その説明を省略する。
【００３４】
爪部１８Ｂは、平面視（図７）において形状が八角形であって幅広の閉じた帯状の、底部１６Ｂから突出する部分である。
爪部１８は、突出端（突出端面２６Ｂ）が平面である台部２１Ｂ、および台部２１Ｂから突出する４つの爪２２Ｂ，２２Ｂ，２２Ｂ，２２Ｂを有する。爪部１８Ｂは、矩形である底部１６Ｂの略中央に配される。台部２１Ｂの内方には、底部１６Ｂの表面をその底とする断面が八角形の第一孔２３Ｂとなっている。
【００３５】
４つの爪２２Ｂ，２２Ｂ，２２Ｂ，２２Ｂは、平面視八角形の爪部１８Ｂに、八角形の辺の一つおきに（、９０度間隔に）配される。対向する一対の爪２２Ｂ，２２Ｂは、幅方向に並び、他の一対の爪２２Ｂ，２２Ｂは、長手方向に並ぶ。なお、「幅方向」とは、凸体１１の長軸方向をいう。
平面視八角形の爪部１８Ｂは、爪２２Ｂが設けられた辺が爪２２Ｂの無い辺よりも短い。
【００３６】
爪２２Ｂは、高さ方向に直交する断面がいずれの部分を採っても台形の、四角錐の変形体（斜錐）であり、角錐（錐状体の一つ）である。爪２２Ｂにおける断面台形は、平面視八角形の爪部１８Ｂについて外方に位置する底辺が他の底辺より長い。
断面台形において、２つの斜辺に対応する爪２２Ｂの側面２７Ｂ，２７Ｂと爪２２Ｂ以外の台部２１Ｂの端面（突出端面）２６Ｂとの交線２８Ｂ，２８Ｂの延長が交わる角度βは、略５０度である。交線２８Ｂ，２８Ｂの延長が交わる角度βは、４０度以上７０度以下に設計される。
【００３７】
爪２２Ｂは、第一孔２３Ｂとは反対側の側面（外側面）２４Ｂが、底部１６の表面に対して直交する。外側面２４Ｂに対向する側面（内側面）２５Ｂは、台部２１Ｂの突出端面２６Ｂに対して６０度外方に傾斜し突出側で外側面２４Ｂに接近する。内側面２５Ｂの外方への傾斜角度αは、底部１６Ｂに対して略６０度である。内側面２５Ｂの外方への傾斜角度αは、４５度以上７０度以下に設計される。
【００３８】
爪収容部４５Ｂは、平面視において台部２１Ｂと略同じ形状であってやや大きな八角形で突出する部分であり、その突出端面５０Ｂは全体として平面である。爪収容部４５Ｂは、外形八角形における幅方向に対向する辺の直近の内側およびこの対向方向に直交して対向する２つの辺の直近の内側に、爪収容孔４６Ｂ，４６Ｂ，４６Ｂ，４６Ｂを備える。
爪収容孔４６Ｂは、断面形状が台形であり、深くなるに伴い、（外形八角形についての外方の）長い方の底辺（下底）の長さを維持したまま、台形の高さが低くなる。爪収容孔４６Ｂは、台形断面に直交し断面台形の高さ方向に拡がる断面における形状が楔形である（例えば図８の爪収容孔４６Ｂ）。この楔形断面における楔の開き角度γは、爪２２Ｂの内側面２５Ｂの外方への傾斜角度α以上であって、４５度以上７０度以下に設計される。
【００３９】
爪収容孔４６Ｂにおける断面台形の斜辺が形成する角度ηは、爪２２Ｂの２つの側面２７Ｂ，２７Ｂが形成する角度βよりも大きい。また、爪収容孔４６Ｂにおける断面台形の下底の長さは、爪２２Ｂにおける台部２１Ｂとの連続部分における断面台形の下底の長さよりも大きい。爪収容孔４６Ｂにおいて断面台形の下底となる側面５１Ｂは、突出端面５０Ｂに対して直角である。
【００４０】
押圧部１５の内方には、有底であって断面が円形の孔である第二孔５３が設けられている。
爪収容部４５Ｂの外側には、爪収容部４５Ｂよりも高く突出する平面視八角形の押圧環４７Ｂが設けられる。押圧部１５における折り曲げ部１４に連続する部分には、押圧環４７Ｂと同じ高さに突出し幅方向に延びた帯状の第二挟持帯４８を備える。
【００４１】
爪収容部４５Ｂは、位置決め突起４４，４４が位置決め孔３６，３６に重なるように折り曲げ部１４で折り曲げたときに、爪部１８Ｂに重なる。また、このとき、各爪２２Ｂの先端近傍は、それぞれ異なる爪収容孔４６Ｂに収容される。
平紐保持装置３Ｂによる平紐４の保持作業は、平紐保持装置３による平紐４の保持作業と同じであり、平紐保持装置３Ｂが平紐を強固に保持する仕組みも平紐保持装置３による平紐４の保持と同じである。
【００４２】
図９は他の雄部材１Ｃの平面図、図１０は図９におけるＥ−Ｅ矢視断面図である。
雄部材１Ｃにおける平紐保持装置３Ｃは、爪部１８Ｃ、爪収容部４５Ｃおよび押圧環４７Ｃの形状等を除き、雄部材１Ｂにおけるものと同一の構成である。図９および図１０において、雄部材１Ｂにおけるものと同一の構成を有する部分については雄部材１Ｂと同一の符号を付し、その説明を省略する。
【００４３】
平紐保持装置３Ｃにおける爪部１８Ｃは、幅方向に並ぶ一対の爪３０Ｃ，３０Ｃの形状が、平紐保持装置３Ｂにおける幅方向に並ぶ一対の爪２２Ｂ，２２Ｂを有する爪部１８Ｂと異なる。平紐保持装置３Ｂでは、幅方向に並ぶ爪２２Ｂの外側面２４Ｂが、長手方向に拡がって底部１６Ｂに垂直であるのに対して、平紐保持装置３Ｃでは、幅方向に並ぶ爪３０Ｃは、底部１６Ｃに垂直な側面３７Ｃ（「垂直面３７Ｃ」という）が、折り曲げ部１４側を向いて幅方向に拡がっている。つまり、爪部１８Ｃは、９０度間隔で４つの爪２２Ｂ，３０Ｃ，２２Ｂ，３０Ｃを有し、いずれの爪２２Ｂ，３０Ｃ，２２Ｂ，３０Ｃも、その底部１６Ｂに垂直な外側面２４Ｂ，垂直面３７Ｃが幅方向（図９について上下）に拡がる。
【００４４】
爪３０Ｃは、底部１６Ｃに平行な断面の形状が台形の錐状体（斜錐）である。この台形の形状は、外側の斜辺が上底および下底に直角に連なる。垂直面３７Ｃは、断面台形における長い方の底辺を形成する。垂直面３７Ｃに対向する側面は、折り曲げ部１４側に傾斜し、形状は二等辺三角形である。
爪３０Ｃにおける底部１６Ｃに平行な断面台形の爪部１８内方側の斜辺は、長手方向に対して角度θ傾斜する。雄部材１Ｃにおける角度θは２５度である。角度θは、２０度以上３５度以下が好ましい。
【００４５】
２つの爪３０Ｃ，３０Ｃの上記した特異な形状に伴い、底部１６Ｃから突出する台部２１Ｃの平面視における形状も、特異な環状形状の八角形である。台部２１Ｃの内方は、有底の第一孔２３Ｃである。
爪収容部４５Ｃは、平面視において台部２１Ｃと略同じ大きさ、若干大きな八角形の形状で突出する。爪収容部４５Ｃの突出端面５０Ｃは、全体として平面である。爪収容部４５Ｃは、外形八角形における幅方向に対向する辺の直近の内側に爪収容孔５４Ｃ，５４Ｃ、およびこの対向方向に直交して対向する２つの辺の直近の内側に爪収容孔４６Ｂ，４６Ｂを備える。爪収容孔４６Ｂ，４６Ｂは、平紐保持装置３Ｂにおける長手方向に並ぶ一対の爪収容孔４６Ｂ，４６Ｂと同じものである。
【００４６】
爪収容孔５４Ｃは、平面視の開口形状が、斜辺の一方が両底辺に直交する台形であり、直交する斜辺が、爪収容部４５Ｃの台形の辺の一つに重なる。爪収容孔５４Ｃの台形である開口形状の長い方の底辺は、折り曲げ部１４側に位置し、この底辺に該当する側面（垂直面）５５Ｃは、突出端面５０Ｃに直交する。
爪収容孔５４Ｃは、爪収容孔４６Ｂと同様に、深くなるに伴い、断面台形における下底の長さを維持したまま、台形の高さが低くなる。したがって、爪収容孔５４Ｃは、台形断面の底辺に直交し断面台形の高さ方向に拡がる断面における形状が楔形である
爪収容部４５Ｃは、位置決め突起４４，４４が位置決め孔３６，３６に重なるように折り曲げ部１４で折り曲げられたときに、爪部１８Ｃに重なる。また、このとき、爪２２Ｃ
，２２Ｃの先端近傍は互いに異なる爪収容孔４６Ｃ，４６Ｃに収容され、爪３０Ｃ，３０Ｃの端近傍は互いに異なる爪収容孔５４Ｃ，５４Ｃに収容される。
【００４７】
押圧環４７Ｃは、爪収容部４５Ｃの外側を囲んで爪収容部４５Ｃよりも高く突出し、突出端は平面である。
平紐保持装置３Ｃは、３つの爪２２Ｂ，３０Ｃ，３０Ｃにおける底部１６Ｂ，１６Ｃに垂直な側面（外側面２４Ｂ、垂直面３７Ｃ，３７Ｃ）が凸部２側を向く。そして、平紐保持装置３Ｃは、平紐４を保持したとき、これら（外側面２４Ｂ、垂直面３７Ｃ，３７Ｃ）が、爪収容孔４６Ｂ，爪収容孔５４Ｃ，５４Ｃにおける突出端面５０Ｃに直交する側面５１Ｂ、垂直面５５Ｃ，５５Ｃに対向する。
【００４８】
平紐保持装置３Ｃは、平紐４が凸部２とは反対側に引っ張られたとき、爪２２Ｂ，３０Ｃ，３０Ｃの変形が側面５１Ｂ、垂直面５５Ｃ，５５Ｃに妨げられて爪２２Ｂ，３０Ｃ，３０Ｃが平紐４を保持し続け、強固に平紐４を一体化する。
平紐保持装置３，３Ｂ，３Ｃにおける爪２２，２２Ｂ，３０Ｃに換えて、正四角錐を含む所謂四角錐、三角錐、五角錐等の角錐、または円錐、楕円錐等の他の形状の錐状体を用いることができる。これら正四角錐等は、底部１６，１６Ｂ，１６Ｃに垂直な外側面２４Ｂ等を有しないため、爪２２，２２Ｂ，３０Ｃに比べて単独では平紐４の引っ張りに対する抵抗がやや劣る。しかし、爪収容孔と組み合わせることにより正四角錐等の形状の爪を備えた平紐保持装置は、実用に十分な保持強度を有する。
【００４９】
その他、平紐保持装置３，３Ｂ，３Ｃ、および平紐保持装置３，３Ｂ，３Ｃの各構成または全体の構造、形状、寸法、個数、材質などは、本考案の趣旨に沿って適宜変更することができる。
【産業上の利用可能性】
【００５０】
本考案は、社員証、ＩＤカード等を保持するネックストラップにおけるストラップ（平紐）の端を保持するための平紐保持装置に利用することができる。
【符号の説明】
【００５１】
３，３Ｂ，３Ｃ  平紐保持装置
４  平紐
１３  爪形成部
１４  折り曲げ部
１５  押圧部
２２，２２Ｂ  爪
２４，２４Ｂ  （爪の外方の）外側面（垂直面）
２５，２５Ｂ  （爪の内方の）内側面
３０Ｃ  爪
３７Ｃ  垂直面
４５，４５Ｂ，４５Ｃ  爪収容部
５４Ｃ  爪収容孔
５５Ｃ  垂直面
【図１】
0003192077.tif 000003
【図２】
0003192077.tif 000004
【図３】
0003192077.tif 000005
【図４】
0003192077.tif 000006
【図５】
0003192077.tif 000007
【図６】
0003192077.tif 000008
【図７】
0003192077.tif 000009
【図８】
0003192077.tif 000010
【図９】
0003192077.tif 000011
【図１０】
0003192077.tif 000012